(57)【要約】  ブラインド検出のためのＤＣＩ設計に関連した基地局、ユーザ機器、および無線通信方法が提供される。基地局は、第１のＤＣＩグループのＤＣＩごとに、第１のグループのＤＣＩのサイズが第２のＤＣＩグループの各ＤＣＩのサイズと異なる場合に、第１のグループのＤＣＩのサイズと第２のＤＣＩグループの選択されたＤＣＩのサイズの一方を他方と揃えるように動作する回路であって、第２のグループの選択されたＤＣＩが、第１のグループのＤＣＩのサイズより大きいサイズの第２のグループのＤＣＩの間でそのサイズが第１のグループのＤＣＩのサイズに最も近いＤＣＩ、または第１のグループのＤＣＩのサイズより小さいサイズの第２のグループのＤＣＩの間でそのサイズが第１のグループのＤＣＩのサイズに最も近いＤＣＩである、回路と、回路によるサイズアラインメント後の第１のＤＣＩグループおよび第２のＤＣＩグループをユーザ機器に送信するように動作する送信部と、を含み、サイズアラインメントは、基地局とユーザ機器とに予め知られている規則に基づくものである。
2019533943.tif 000002
【特許請求の範囲】
【請求項１】
基地局であって、
第１のＤＣＩグループのＤＣＩ（Ｄｏｗｎｌｉｎｋ  Ｃｏｎｔｒｏｌ  Ｉｎｆｏｒｍａｔｉｏｎ（下り制御情報））ごとに、前記第１のグループの前記ＤＣＩのサイズが第２のＤＣＩグループの各ＤＣＩのサイズと異なる場合に、前記第１のグループの前記ＤＣＩの前記サイズと前記第２のＤＣＩグループの選択されたＤＣＩの前記サイズの一方を他方と揃えるように動作する回路であって、前記第２のグループの前記選択されたＤＣＩが、前記第１のグループの前記ＤＣＩの前記サイズより大きいサイズの前記第２のグループのＤＣＩの間でそのサイズが前記第１のグループの前記ＤＣＩのサイズに最も近いＤＣＩ、または前記第１のグループの前記ＤＣＩの前記サイズより小さいサイズの前記第２のグループのＤＣＩの間でそのサイズが前記第１のグループの前記ＤＣＩのサイズに最も近いＤＣＩである、前記回路と、
前記回路によるサイズアラインメント後の前記第１のＤＣＩグループおよび前記第２のＤＣＩグループをユーザ機器に送信するように動作する送信部と、
を含み、前記サイズアラインメントが、前記基地局と前記ユーザ機器とに予め知られている規則に基づくものである、
基地局。
【請求項２】
前記第２のグループの前記選択されたＤＣＩが、前記第１のグループの前記ＤＣＩの前記サイズより大きいサイズの前記第２のグループのＤＣＩの間でそのサイズが前記第１のグループの前記ＤＣＩのサイズに最も近いＤＣＩであり、
前記回路が、前記第１のグループの前記ＤＣＩのビット数をさらに増やし、前記増やされるビットの数が、前記第１のグループの前記ＤＣＩの前記サイズと前記第２のグループの前記選択されたＤＣＩの前記サイズとの差に等しい、
請求項１に記載の基地局。
【請求項３】
前記回路が、ビットをパディングすること、またはＣＲＣ（Ｃｙｃｌｉｃ  Ｒｅｄｕｎｄａｎｃｙ  Ｃｈｅｃｋ（巡回冗長検査））のサイズを増やすことによって前記第１のグループの前記ＤＣＩのビット数を増やす、
請求項２に記載の基地局。
【請求項４】
前記第２のグループの前記選択されたＤＣＩが、前記第１のグループの前記ＤＣＩの前記サイズより小さいサイズの前記第２のグループのＤＣＩの間でそのサイズが前記第１のグループの前記ＤＣＩの前記サイズに最も近いＤＣＩであり、
前記回路が、前記第１のグループの前記ＤＣＩのビット数をさらに減らし、前記減らされるビットの数が、前記第１のグループの前記ＤＣＩの前記サイズと前記第２のグループの前記選択されたＤＣＩの前記サイズとの差に等しい、
請求項１に記載の基地局。
【請求項５】
前記回路が、前記第１のグループの前記ＤＣＩの少なくとも１つのフィールドのビット数を制限することによって、または前記第１のグループの前記ＤＣＩのリソース割当の粒度を上げることによって前記第１のグループの前記ＤＣＩのビット数を減らす、
請求項４に記載の基地局。
【請求項６】
前記第２のグループの前記選択されたＤＣＩが、前記第１のグループの前記ＤＣＩの前記サイズより小さいサイズの前記第２のグループのＤＣＩの間でそのサイズが前記第１のグループの前記ＤＣＩの前記サイズに最も近いＤＣＩであり、
前記回路が、前記第２のグループの前記選択されたＤＣＩにビットをさらに追加し、前記追加されるビットの数が、前記第１のグループの前記ＤＣＩの前記サイズと前記第２のグループの前記選択されたＤＣＩの前記サイズとの差に等しい、
請求項１に記載の基地局。
【請求項７】
前記回路が、ビットをパディングすることによって、または前記選択されたＤＣＩの少なくとも１つのフィールドのビット数を増やすことによって前記第２のグループの前記選択されたＤＣＩにビットを追加する、
請求項６に記載の基地局。
【請求項８】
前記第１のＤＣＩグループが、前記ユーザ機器と別のユーザ機器との間のサイドリンク送信をスケジュールするためのＤＣＩであり、前記第２のＤＣＩグループが、前記ユーザ機器と前記基地局との間の送信をスケジュールするためのＤＣＩである、
請求項１に記載の基地局。
【請求項９】
ユーザ機器であって、
基地局から第１のＤＣＩグループおよび第２のＤＣＩグループを受信するように動作する受信部と、
前記基地局と前記ユーザ機器とに予め知られている規則に基づいて送信および／または受信を行うように、前記第１のＤＣＩグループおよび前記第２のＤＣＩグループをブラインド検出するように動作する回路と、
を含み、前記規則が、前記ユーザ機器によって受信される前に、前記第１のＤＣＩグループと前記第２のＤＣＩグループとが、前記第１のＤＣＩグループのＤＣＩごとに、前記第１のグループの前記ＤＣＩのサイズが前記第２のＤＣＩグループの各ＤＣＩのサイズと異なる場合に、前記規則に基づいて、前記第１のグループの前記ＤＣＩの前記サイズと前記第２のＤＣＩグループの選択されたＤＣＩの前記サイズの一方を他方と揃える工程、を含むサイズアラインメントを施されていることを指示し、前記第２のグループの前記選択されたＤＣＩが、前記第１のグループの前記ＤＣＩの前記サイズより大きいサイズの前記第２のグループのＤＣＩの間でそのサイズが前記第１のグループの前記ＤＣＩの前記サイズに最も近いＤＣＩ、または前記第１のグループの前記ＤＣＩのサイズより小さいサイズの前記第２のグループのＤＣＩの間でそのサイズが前記第１のグループの前記ＤＣＩの前記サイズに最も近いＤＣＩである、
ユーザ機器。
【請求項１０】
前記第２のグループの前記選択されたＤＣＩが、前記第１のグループの前記ＤＣＩの前記サイズより大きいサイズの前記第２のグループのＤＣＩの間でそのサイズが前記第１のグループの前記ＤＣＩの前記サイズに最も近いＤＣＩであり、
前記第１のグループの前記ＤＣＩの前記サイズと第２のＤＣＩグループの選択されたＤＣＩのサイズの一方を他方と揃える前記工程が、
前記第１のグループの前記ＤＣＩのビット数を増やす工程であって、前記増やされるビットの数が、前記第１のグループの前記ＤＣＩの前記サイズと前記第２のグループの前記選択されたＤＣＩのサイズとの差に等しい工程、
を含む、
請求項９に記載のユーザ機器。
【請求項１１】
前記第１のグループの前記ＤＣＩのビット数を増やす前記工程が、
前記第１のグループの前記ＤＣＩにビットをパディングする工程、または前記第１のグループの前記ＤＣＩのＣＲＣサイズを増やす工程、
を含む、
請求項１０に記載のユーザ機器。
【請求項１２】
前記第２のグループの前記選択されたＤＣＩが、前記第１のグループの前記ＤＣＩの前記サイズより小さいサイズの前記第２のグループのＤＣＩの間でそのサイズが前記第１のグループの前記ＤＣＩの前記サイズに最も近いＤＣＩであり、
前記第１のグループの前記ＤＣＩの前記サイズと第２のＤＣＩグループの選択されたＤＣＩのサイズの一方を他方と揃える前記工程が、
前記第１のグループの前記ＤＣＩのビット数を減らす工程であって、前記減らされるビットの数が、前記第１のグループの前記ＤＣＩの前記サイズと前記第２のグループの前記選択されたＤＣＩの前記サイズとの差に等しい工程、
を含む、
請求項９に記載のユーザ機器。
【請求項１３】
前記第１のグループの前記ＤＣＩのビット数を減らす前記工程が、
前記第１のグループの前記ＤＣＩの少なくとも１つのフィールドのビット数を制限する工程、または前記第１のグループの前記ＤＣＩのリソース割当の粒度を上げる工程、
を含む、
請求項１２に記載のユーザ機器。
【請求項１４】
前記第２のグループの前記択されるＤＣＩが、前記第１のグループ前記のＤＣＩの前記サイズより小さいサイズの前記第２のグループのＤＣＩの間でそのサイズが前記第１のグループの前記ＤＣＩの前記サイズに最も近いＤＣＩであり、
前記第１のグループの前記ＤＣＩの前記サイズと第２のＤＣＩグループの選択されたＤＣＩのサイズの一方を他方と揃える前記工程が、
前記第２のグループの前記選択されたＤＣＩにビットを追加する工程であって、前記追加されるビットの数が、前記第１のグループの前記ＤＣＩの前記サイズと前記第２のグループの前記選択されたＤＣＩの前記サイズとの差に等しい工程、
を含む、
請求項９に記載のユーザ機器。
【請求項１５】
前記第２のグループの前記選択されたＤＣＩにビットを追加する前記工程が、
前記第２のグループの前記選択されたＤＣＩにビットをパディングする工程、または前記選択されたＤＣＩの少なくとも１つのフィールドのビット数を増やす工程、
を含む、
請求項１４に記載のユーザ機器。
【請求項１６】
前記第１のＤＣＩグループが、前記ユーザ機器と別のユーザ機器との間のサイドリンク送信をスケジュールするためのＤＣＩであり、前記第２のＤＣＩグループが、前記ユーザ機器と前記基地局との間の送信をスケジュールするためのＤＣＩである、
請求項９に記載のユーザ機器。
【請求項１７】
基地局のための無線通信方法であって、
第１のＤＣＩグループのＤＣＩ（下り制御情報）ごとに、前記第１のグループの前記ＤＣＩのサイズが第２のＤＣＩグループの各ＤＣＩのサイズと異なる場合に、前記第１のグループの前記ＤＣＩの前記サイズと前記第２のＤＣＩグループの選択されたＤＣＩの前記サイズの一方を他方と揃える工程であって、前記第２のグループの前記選択されたＤＣＩが、前記第１のグループの前記ＤＣＩの前記サイズより大きいサイズの前記第２のグループのＤＣＩの間でそのサイズが前記第１のグループの前記ＤＣＩの前記サイズに最も近いＤＣＩ、または前記第１のグループの前記ＤＣＩの前記サイズより小さいサイズの前記第２のグループのＤＣＩの間でそのサイズが前記第１のグループの前記ＤＣＩの前記サイズに最も近いＤＣＩである、工程と、
サイズアラインメント後の前記第１のＤＣＩグループおよび前記第２のＤＣＩグループをユーザ機器に送信する工程と、
を含み、前記サイズアラインメントが、前記基地局と前記ユーザ機器とに予め知られている規則に基づくものである、
無線通信方法。
【請求項１８】
前記第２のグループの前記選択されたＤＣＩが、前記第１のグループの前記ＤＣＩの前記サイズより大きいサイズの前記第２のグループのＤＣＩの間でそのサイズが前記第１のグループの前記ＤＣＩの前記サイズに最も近いＤＣＩであり、
前記第１のグループの前記ＤＣＩの前記サイズと第２のＤＣＩグループの選択されたＤＣＩのサイズの一方を他方と揃える前記工程が、
前記第１のグループの前記ＤＣＩのビット数を増やす工程であって、前記増やされるビットの数が、前記第１のグループの前記ＤＣＩの前記サイズと前記第２のグループの前記選択されたＤＣＩの前記サイズとの差に等しい、工程、
を含む、請求項１７に記載の無線通信方法。
【請求項１９】
前記第２のグループの前記選択されたＤＣＩが、前記第１のグループの前記ＤＣＩの前記サイズより小さいサイズの前記第２のグループのＤＣＩの間でそのサイズが前記第１のグループの前記ＤＣＩの前記サイズに最も近いＤＣＩであり、
前記第１のグループの前記ＤＣＩの前記サイズと第２のＤＣＩグループの選択されたＤＣＩのサイズの一方を他方と揃える前記工程が、
前記第１のグループの前記ＤＣＩのビット数を減らす工程であって、前記減らされるビットの数が、前記第１のグループの前記ＤＣＩの前記サイズと前記第２のグループの前記選択されたＤＣＩの前記サイズとの差に等しい、工程、
を含む、請求項１７に記載の無線通信方法。
【請求項２０】
前記第２のグループの前記選択されたＤＣＩが、前記第１のグループの前記ＤＣＩの前記サイズより小さいサイズの前記第２のグループのＤＣＩの間でそのサイズが前記第１のグループの前記ＤＣＩの前記サイズに最も近いＤＣＩであり、
前記第１のグループの前記ＤＣＩの前記サイズと第２のＤＣＩグループの選択されたＤＣＩのサイズの一方を他方と揃える前記工程が、
前記第２のグループの前記選択されたＤＣＩにビットを追加する工程であって、前記追加されるビットの数が、前記第１のグループの前記ＤＣＩの前記サイズと前記第２のグループの前記選択されたＤＣＩの前記サイズとの差に等しい、工程、
を含む、請求項１７に記載の無線通信方法。
【発明の詳細な説明】
【技術分野】
【０００１】
本開示は、無線通信の分野に関し、特に、ブラインド検出のためのＤＣＩ（Ｄｏｗｎｌｉｎｋ  Ｃｏｎｔｒｏｌ  Ｉｎｆｏｒｍａｔｉｏｎ（下り制御情報））設計に関連した基地局（ｅＮｏｄｅＢ）、ユーザ機器（ＵＥ：Ｕｓｅｒ  Ｅｑｕｉｐｍｅｎｔ）、および無線通信方法に関する。
【背景技術】
【０００２】
ｅＮｏｄｅＢベースのスケジューリングリソース割当モードによるサイドリンク（ＳＬ：ｓｉｄｅｌｉｎｋ）送信の動的スケジューリングが、これまでＶ２Ｖ（Ｖｅｈｉｃｌｅ  ｔｏ  Ｖｅｈｉｃｌｅ（車車間））通信用に指定されており、サイドリンクＤＣＩフォーマットがサイドリンクの動的スケジューリングのために設計されている。図１に、サイドリンクリソースが、Ｖ２Ｖ通信のためにｅＮｏｄｅＢによって動的にスケジュールされる例示的なシナリオを概略的に示す。図１に示されるように、通信は、「ＳＬ」と記された２つの太い矢印で示されるサイドリンクを介して２台の車両１０２と車両１０３との間で行われ得る。車両１０２と車両１０３との間のサイドリンク送信のためのリソースは、上述したようにサイドリンクＤＣＩフォーマットを介してｅＮｏｄｅＢ１０１によって動的にスケジュールされ得る。具体的には、通信は、「ＤＬ」または「ＵＬ」と記されたそれぞれの細い矢印で示されるように、２台の車両１０２および１０３の各々とｅＮｏｄｅＢ１０１との間でも行われ得る。例えば、車両１０２は、受信したサイドリンクＤＣＩに基づいてサイドリンクを介して車両１０３との通信を行うように、ｅＮｏｄｅＢ１０１から下りリンクを介してサイドリンクＤＣＩを受信し得る。
【０００３】
最新の３ＧＰＰ（Ｔｈｅ  ３ｒｄ  Ｇｅｎｅｒａｔｉｏｎ  Ｐａｒｔｎｅｒｓｈｉｐ  Ｐｒｏｊｅｃｔ（第３世代パートナーシッププロジェクト））の進捗状況によれば、ＣＡＭ（Ｃｏｏｐｅｒａｔｉｖｅ  Ａｗａｒｅｎｅｓｓ  Ｍｅｓｓａｇｅ（協調認識メッセージ））のような期間的なトラフィックを満たすために、Ｖ２Ｖサイドリンク送信にセミパーシステントスケジューリング（ＳＰＳ：ｓｅｍｉ−ｐｅｒｓｉｓｔｅｎｔ  ｓｃｈｅｄｕｌｉｎｇ）がサポートされることになる。よって、サイドリンクＳＰＳおよびその専用ＤＣＩフォーマットが３ＧＰＰにおいて検討中である。
【発明の概要】
【発明が解決しようとする課題】
【０００４】
１つの非限定的例示的な実施形態は、ブラインド検出回数を低減させるＤＣＩ設計を提供する。
【０００５】
本開示の第１の一般的態様では、基地局が提供され、本基地局は、第１のＤＣＩグループのＤＣＩ（下り制御情報）ごとに、第１のグループのＤＣＩのサイズが第２のＤＣＩグループの各ＤＣＩのサイズと異なる場合に、第１のグループのＤＣＩのサイズと第２のＤＣＩグループの選択されたＤＣＩのサイズの一方を他方と揃えるように動作する回路であって、第２のグループの選択されたＤＣＩが、第１のグループのＤＣＩのサイズより大きいサイズの第２のグループのＤＣＩの間でそのサイズが第１のグループのＤＣＩのサイズに最も近いＤＣＩ、または第１のグループのＤＣＩのサイズより小さいサイズの第２のグループのＤＣＩの間でそのサイズが第１のグループのＤＣＩのサイズに最も近いＤＣＩである、回路と、回路によるサイズアラインメント後の第１のＤＣＩグループおよび第２のＤＣＩグループをユーザ機器に送信するように動作する送信部と、を含み、サイズアラインメントは、基地局とユーザ機器とに予め知られている規則に基づくものである。
【０００６】
本開示の第２の一般的態様では、ユーザ機器が提供され、本ユーザ機器は、基地局から第１のＤＣＩグループおよび第２のＤＣＩグループを受信するように動作する受信部と、基地局とユーザ機器とに予め知られている規則に基づいて送信および／または受信を行うように、第１のＤＣＩグループおよび第２のＤＣＩグループをブラインド検出するように動作する回路と、を含み、前記規則は、ユーザ機器によって受信される前に、第１のＤＣＩグループと第２のＤＣＩグループとが、第１のＤＣＩグループのＤＣＩごとに、第１のグループのＤＣＩのサイズが第２のＤＣＩグループの各ＤＣＩのサイズと異なる場合に、前記規則に基づいて、第１のグループのＤＣＩのサイズと第２のＤＣＩグループの選択されたＤＣＩのサイズの一方を他方と揃える工程、を含むサイズアラインメントを施されていることを指示し、第２のグループの選択されたＤＣＩは、第１のグループのＤＣＩのサイズより大きいサイズの第２のグループのＤＣＩの間でそのサイズが第１のグループのＤＣＩのサイズに最も近いＤＣＩ、または第１のグループのＤＣＩのサイズより小さいサイズの第２のグループのＤＣＩの間でそのサイズが第１のグループのＤＣＩのサイズに最も近いＤＣＩである。
【０００７】
本開示の第３の一般的態様では、基地局のための無線通信方法が提供され、本方法は、第１のＤＣＩグループのＤＣＩ（下り制御情報）ごとに、第１のグループのＤＣＩのサイズが第２のＤＣＩグループの各ＤＣＩのサイズと異なる場合に、第１のグループのＤＣＩのサイズと第２のＤＣＩグループの選択されたＤＣＩのサイズの一方を他方と揃える工程であって、第２のグループの選択されたＤＣＩが、第１のグループのＤＣＩのサイズより大きいサイズの第２のグループのＤＣＩの間でそのサイズが第１のグループのＤＣＩのサイズに最も近いＤＣＩ、または第１のグループのＤＣＩのサイズより小さいサイズの第２のグループのＤＣＩの間でそのサイズが第１のグループのＤＣＩのサイズに最も近いＤＣＩである、工程と、サイズアラインメント後の第１のＤＣＩグループおよび第２のＤＣＩグループをユーザ機器に送信する工程と、を含み、サイズアラインメントは、基地局とユーザ機器とに予め知られている規則に基づくものである。
【０００８】
一般的な実施形態または特定の実施形態は、システム、方法、集積回路、コンピュータプログラム、記憶媒体、またはそれらの任意の選択的組み合わせとして実装され得ることに留意されたい。
【０００９】
開示の実施形態のさらなる恩恵および利点については、明細書および図面を読めば明らかになるであろう。それらの恩恵および／または利点は、本明細書および図面の様々な実施形態および特徴によって個々に得られてもよく、そうした恩恵および／または利点のうちの１つまたは複数を得るためにすべてが設けられる必要はない。
【００１０】
本開示の上記その他の特徴は、以下の説明および添付の特許請求の範囲を添付の図面と併せて読めばより十分に明らかになるであろう。これらの図面は、本開示に係るいくつかの実施形態を示すにすぎず、したがって、本発明の範囲を限定するとみなされるべきではないという了解の下で、添付の図面を使用して本開示をさらに具体的かつ詳細に説明する。
【図面の簡単な説明】
【００１１】
【図１】サイドリンクリソースがＶ２Ｖ通信のためにｅＮｏｄｅＢによって動的にスケジュールされる例示的なシナリオを概略的に示す図である。
【図２】本開示の実施形態に係る基地局のための無線通信方法を示すフローチャートである。
【図３】本開示の別の実施形態に係るユーザ機器のための無線通信方法を示すフローチャートである。
【図４】本開示の別の実施形態に係る基地局を示すブロック図である。
【図５】本開示の別の実施形態に係るユーザ機器を示すブロック図である。
【発明を実施するための形態】
【００１２】
以下の詳細な説明では、本明細書の一部を形成する添付の図面を参照する。図面において、類似した記号は、文脈上別の解釈が求められない限り、通常は類似した構成要素を識別する。本開示の態様は、多種多様な異なる構成として配置し、置換し、組み合わせ、設計することができ、これらすべてが明示的に企図されており、本開示の一部をなすことが容易に理解されるであろう。
【００１３】
上述したように、サイドリンクＳＰＳと、サイドリンクＳＰＳ  ＤＣＩフォーマットとも呼ばれるサイドリンクＳＰＳの専用ＤＣＩフォーマットとが３ＧＰＰにおいて検討中である。具体的には、Ｖ２Ｖ／Ｖ２Ｘ（Ｖｅｈｉｃｌｅ  ｔｏ  ａｎｙｔｈｉｎｇ（車車間・路車間））トラフィックの動的スケジューリングに使用されるサイドリンクＤＣＩフォーマットに２つの追加フィールドを追加するよう提案されている。以下で、表１に、スケジュールされるべきキャリアの異なる帯域幅に関する提案のサイドリンクＳＰＳ  ＤＣＩフォーマットの詳細設計を示す。ここでは、３ＧＰＰの作業仮定に基づき、ＳＬ  ＳＰＳ構成インデックスは３ビットであり、アクティブ化／リリース指示は１ビットであると仮定するが、最終的に、これらのフィールドのサイズは変更される可能性がある。
【表１】
2019533943.tif 000003
【００１４】
表１において、第１列の最初の４つの表セルは、３ＧＰＰ  ＴＳ  ３６．３１２に基づく動的スケジューリングに使用される既存のサイドリンクＤＣＩフォーマットに含まれる内容（すなわちフィールド）を示す。具体的には、これらの内容は、「キャリアインジケータ」、「サブチャネル割当の最低インデックス」、「周波数リソース位置」、および「初回送信と再送信との間のタイムギャップ」である。スケジュールされるべきキャリアの異なる帯域幅に対して、これらのフィールドのいくつかのフィールドのサイズは異なり、これらのフィールドの他のフィールドのサイズは同じである。例えば、表１には６つの異なる帯域幅、すなわち１．４ＭＨｚ、３ＭＨｚ、５ＭＨｚ、１０ＭＨｚ、１５ＭＨｚ、２０ＭＨｚが示されている。「キャリアインジケータ」のサイズは、これら６つの帯域幅すべてについて３ビットであり、「初回送信と再送信との間のタイムギャップ」のサイズは、これら６つの帯域幅すべてについて４ビットである。対照的に、「サブチャネル割当の最低インデックス」のサイズは、１．４ＭＨｚ、３ＭＨｚ、５ＭＨｚ、１０ＭＨｚ、１５ＭＨｚ、および２０ＭＨｚの帯域幅に対して、それぞれ、０ビット、２ビット、３ビット、４ビット、４ビット、および５ビットである。また、「周波数リソース位置」のサイズも、表１に示されるように、スケジュールされるべきキャリアの帯域幅ごとに変わる。
【００１５】
表１において、第１列の第５の表セルと第６の表セルとは、上述したサイドリンク（ＳＬ）ＳＰＳのための提案の２つの追加フィールドを示す。具体的には、これら２つの追加フィールドは「ＳＬ  ＳＰＳ構成インデックス」および「アクティブ化／リリース指示」である。これらはどちらもスケジュールされるべきキャリアの異なる帯域幅に対して固定サイズ（それぞれ３ビットと１ビット）であると想定されている。
【００１６】
表１の最後の２行は、スケジュールされるべきキャリアの異なる帯域幅に対する設計のサイドリンクＳＰＳ  ＤＣＩフォーマットの合計ペイロードサイズ（すなわち、合計ビット数）と、想定されるサブチャネルサイズ（すなわち、ＰＲＢ（Ｐｈｙｓｉｃａｌ  Ｒｅｓｏｕｒｃｅ  Ｂｌｏｃｋ（物理リソースブロック））の数）とをそれぞれ示す。明らかに、２つの追加フィールドが原因で、サイドリンクＳＰＳ  ＤＣＩの合計ペイロードサイズは動的スケジューリングのサイドリンクＤＣＩの合計ペイロードサイズよりも大きくなる。
【００１７】
上記の説明は、Ｖ２Ｖ／Ｖ２Ｘ通信を用いてなされているが、車両はＵＥとしても理解され得る。すなわち、２つのＵＥ間の直接通信はそれらの間のサイドリンクを介して行われ、上述したようにサイドリンクＤＣＩを介して基地局／ｅＮｏｄｅＢによってスケジュールされ得る。同時に、ＵＥとｅＮｏｄｅＢとの間で通信が行われてもよく、そのような通信は一般に、ＤＣＩフォーマット０、ＤＣＩフォーマット１Ａなどの従来のＤＣＩフォーマットを介してｅＮｏｄｅＢによってスケジュールされる。説明のために、ＵＥとｅＮｏｄｅＢとの間の送信をスケジュールするためのこれらのＤＣＩを、Ｕｕ（ユーザ機器から無線ネットワークシステムへの）ＤＣＩと呼ぶ。
【００１８】
ＵＥでは、別のＵＥとのサイドリンク通信と、ｅＮｏｄｅＢとの上り／下り通信の両方が行われ得るため、同じサーチスペースにおいて、サイドリンクＤＣＩと上述したＵｕ  ＤＣＩが同時に現れ、ＵＥ側でブラインド検出／デコードされる必要が生じ得る。この場合、サイドリンクＤＣＩのサイズが各Ｕｕ  ＤＣＩと異なると、ＵＥ側でのブラインド検出／デコード回数はＳＬ  ＤＣＩを導入するために増加することになる。例えば、表２に、スケジュールされるべきキャリアの異なる帯域幅に対するＤＣＩフォーマット０の内容およびＤＣＩサイズを示す。
【表２】
2019533943.tif 000004
【００１９】
ここで、ＤＣＩフォーマット０に含まれるフィールドおよびそれらのフィールドそれぞれのサイズは当業者には周知であるので、本開示の発明点を混乱させないようにその詳細を省略する。表２において、最後の行は、ＤＣＩフォーマット０の合計ペイロードサイズが、１．４ＭＨｚ、３ＭＨｚ、５ＭＨｚ、１０ＭＨｚ、１５ＭＨｚおよび２０ＭＨｚの異なる帯域幅に対して、それぞれ、２３ビット、２５ビット、２７ビット、２９ビット、３０ビットおよび３１ビットであることを示している。
【００２０】
表１には示されていないが、表１で与えられた内容から、動的スケジューリングのサイドリンクＤＣＩフォーマットの合計ペイロードサイズは、１．４ＭＨｚ、３ＭＨｚ、５ＭＨｚ、１０ＭＨｚ、１５ＭＨｚ、および２０ＭＨｚの異なる帯域幅に対して、それぞれ、７ビット、１２ビット、１４ビット、１７ビット、１８ビット、および２０ビットであることを導出することができる。ＤＣＩフォーマット０と動的スケジューリングのサイドリンクＤＣＩフォーマットとを比較すると、動的スケジューリングのサイドリンクＤＣＩフォーマットのサイズはＤＣＩフォーマット０のサイズよりも小さいことが分かる。よって、現在の仕様および合意に基づき、そのサイズをＤＣＩフォーマット０のサイズに揃えるために、動的スケジューリングのサイドリンクＤＣＩフォーマットにゼロビットがパディングされる。これにより、ＵＥ側でのブラインド検出（デコーディング）回数を低減させることができる。
【００２１】
しかしながら、上述したように、表１に示される２つの追加フィールドのために、サイドリンクＳＰＳ  ＤＣＩの合計ペイロードサイズは、例えば、表１に示されるように帯域幅ごとに４ビットずつ、動的スケジューリングのサイドリンクＤＣＩの合計ペイロードサイズより大きくなる。よって、ＤＣＩフォーマット０とサイドリンクＳＰＳ  ＤＣＩフォーマットとを比較すると、サイドリンクＳＰＳ  ＤＣＩフォーマットのサイズがＤＣＩフォーマット０のサイズよりも大きい可能性がある。理解を容易にするために、表３にＳＬ  ＳＰＳ  ＤＣＩとＤＣＩフォーマット０とのサイズ比較を示す。
【表３】
2019533943.tif 000005
【００２２】
表３に示されるように、２つの数字を含む各表セルにおいて、「＼」の左側の数字は、スケジュールされるべきキャリアのある特定の帯域幅のＳＬ  ＳＰＳ  ＤＣＩのサイズ（合計ペイロードサイズ）を示し、「＼」の右側の数字は、スケジュールされるべきキャリアのその特定の帯域幅のＤＣＩフォーマット０のサイズ（合計ペイロードサイズ）を示す。表３から分かるように、ＳＬ  ＳＰＳ  ＤＣＩが２０ＭＨｚの帯域幅のキャリアをスケジュールするために使用され、ＤＣＩフォーマット０が１．４ＭＨｚの帯域幅のキャリアをスケジュールするために使用される場合、表セル「２４／２３」に示されるように、ＳＬ  ＳＰＳ  ＤＣＩのサイズ（２４ビット）はＤＣＩフォーマット０のサイズ（２３ビット）よりも大きい。現在の仕様および合意では、動的スケジューリングのサイドリンクＤＣＩフォーマットのサイズがＤＣＩフォーマット０のサイズより小さい場合のみを考慮するので、ＳＬ  ＳＰＳ  ＤＣＩのサイズがＤＣＩフォーマット０のサイズより大きい場合のＵＥの挙動が不明確である。
【００２３】
さらに、ＬＴＥ（Ｌｏｎｇ  Ｔｅｒｍ  Ｅｖｏｌｕｔｉｏｎ（ロング・ターム・エボリューション））では、サイズアラインメントのためにＤＣＩフォーマット０とＤＣＩフォーマット１Ａとが（フォーマット３／３Ａも）互いにパディングされることが知られている。ただし、ＤＣＩフォーマット０とＤＣＩフォーマット１Ａとは、２つのＤＣＩ間のサイズアラインメントにのみ関連する。これまでのところは、少なくとも１つのサイドリンクＤＣＩと少なくとも１つのＵｕ  ＤＣＩとを含む２つ以上のＤＣＩがある場合にサイズアラインメントをどのように処理するかが不明確である。例えば、サイドリンクＤＣＩのサイズは、あるＵｕ  ＤＣＩのサイズよりも小さいが、別のＵｕ  ＤＣＩのサイズよりも大きい場合がある。
【００２４】
さらに、ＮＲ（Ｎｅｗ  Ｒａｄｉｏ  ａｃｃｅｓｓ  ｔｅｃｈｎｏｌｏｇｙ（新無線アクセス技術））または５Ｇ（Ｔｈｅ  ｆｉｆｔｈ  Ｇｅｎｅｒａｔｉｏｎ（第５世代））システムでは、サイドリンクＤＣＩとＵｕ  ＤＣＩとが、上述した場合と同様にやはり同じサーチスペースに現れる可能性があり、ＤＣＩ間のサイズアラインメントをどのように実装するかを考慮する必要がある。
【００２５】
本開示の実施形態では、図２に示されるように基地局のための無線通信方法２０が提供される。図２に、本開示の実施形態に係る基地局のための無線通信方法２０のフローチャートを示す。
【００２６】
図２に示されるように、無線通信方法２０はステップＳ２０１で開始し、ここで、第１のＤＣＩグループのＤＣＩごとに、第１のグループのＤＣＩのサイズが第２のＤＣＩグループの各ＤＣＩのサイズと異なる場合に、第１のグループのＤＣＩのサイズと第２のＤＣＩグループの選択されたＤＣＩのサイズの一方が他方と揃えられ、第２のグループの選択されたＤＣＩは、第１のグループのＤＣＩのサイズより大きいサイズの第２のグループのＤＣＩの間でそのサイズが第１のグループのＤＣＩのサイズに最も近いＤＣＩ、または第１のグループのＤＣＩのサイズより小さいサイズの第２のグループのＤＣＩの間でそのサイズが第１のグループのＤＣＩのサイズに最も近いＤＣＩである。次いで、ステップＳ２０２で、サイズアラインメント後の第１のＤＣＩグループおよび第２のＤＣＩグループがユーザ機器に送信される。ステップＳ２０２の後、無線通信方法２０は終了する。サイズアラインメントは、基地局とユーザ機器とに予め知られている規則に基づくものである。
【００２７】
具体的には、例えば、基地局は、図１に示されるようにｅＮｏｄｅＢ１０１であってよく、ユーザ機器は、図１に示されるように車両１０２および１０３のうちのいずれか１つであってよい。すなわち、無線通信方法２０は、ｅＮｏｄｅＢ１０１によって、サイドリンク送信および／または受信、ならびに車両１０２および１０３の上り送信および下り受信をスケジュールするために使用され得る。
【００２８】
説明のために、第１のＤＣＩグループは、ユーザ機器と別のユーザ機器との間のサイドリンク送信をスケジュールするためのＤＣＩであり、第２のＤＣＩグループは、ユーザ機器と基地局との間の送信をスケジュールするためのＤＣＩであると仮定され得る。上述したように、第１のＤＣＩグループを単にＳＬ  ＤＣＩと呼ぶことがあり、第２のＤＣＩグループを単にＵｕ  ＤＣＩと呼ぶことがある。
【００２９】
上述したように、ある場合には、同じサーチスペースに、少なくとも１つのＳＬ  ＤＣＩと少なくとも１つのＵｕ  ＤＣＩとがあり、ＳＬ  ＤＣＩのサイズは、Ｕｕ  ＤＣＩよりも小さいかまたは大きい。別の場合には、同じサーチスペースに、複数のＳＬ  ＤＣＩおよび複数のＵｕ  ＤＣＩがあり、ＳＬ  ＤＣＩとＵｕ  ＤＣＩとの間のサイズ関係は非常に複雑であり得る。これらのＤＣＩのサイズアラインメントが行われないと、多種類のサイズのＤＣＩがあることになり、これらのＤＣＩを正しく検出するためにユーザ機器においてこれらのＤＣＩのブラインド検出が何度も行われる必要があり、その結果時間がかかり、システム負荷が増加することとなる。
【００３０】
ステップＳ２０１で、ＳＬ  ＤＣＩごとに、ＳＬ  ＤＣＩのサイズが各Ｕｕ  ＤＣＩのサイズと異なる場合、ＳＬ  ＤＣＩと、ＳＬ  ＤＣＩより大きいサイズのＵｕ  ＤＣＩの間でそのサイズが最も小さいＵｕ  ＤＣＩ、またはＳＬ  ＤＣＩより小さいサイズのＵｕ  ＤＣＩの間でそのサイズが最も大きいＵｕ  ＤＣＩとの間でサイズアラインメントが行われる。よって、第１に、ＵＥ側でのブラインド検出回数を低減させることができる。第２に、選択されたＵｕ  ＤＣＩは、ＳＬ  ＤＣＩより大きいサイズのＵｕ  ＤＣＩの間でそのサイズが最も小さいＵｕ  ＤＣＩ、またはＳＬ  ＤＣＩより小さいサイズのＵｕ  ＤＣＩの間でそのサイズが最も大きいＵｕ  ＤＣＩであるので、ＤＣＩのサイズ変更を最小限に保つことができる。
【００３１】
さらに、サイズアラインメントの基準となる規則は基地局とユーザ機器とに予め知られているので、ＵＥは、規則に基づいた基地局によるサイズアラインメント後にこれらのＤＣＩをブラインド検出し得る。規則は規格において事前定義され得る。あるいは、規則は基地局によって定義されてもよく、基地局は、例えば、ＵＥがＤＣＩのブラインド検出を行う前に上位層シグナリングによって、ＵＥに規則を通知する必要がある。明らかに、規則の定義方法はその他の適切な方法であってもよく、本開示は上記の２つの方法に限定されない。
【００３２】
複数のＳＬ  ＤＣＩと複数のＵｕ  ＤＣＩとがある場合には、異なるＳＬ  ＤＣＩが異なるＵｕ  ＤＣＩと揃えられ得る。無線通信方法２０の理解を容易にするために、ＳＬ  ＤＣＩとＵｕ  ＤＣＩとの間のサイズアラインメントの具体例を後でさらに示す。
【００３３】
無線通信方法２０では、第１のＤＣＩグループの各ＤＣＩと、そのサイズが第１のグループの各ＤＣＩのサイズに最も近い第２のグループの選択されたＤＣＩとの間のサイズアラインメントを行うことによって、ＤＣＩのサイズ変更を最小限にすると同時に、ユーザ機器におけるブラインド検出回数を低減させることができる。
【００３４】
本開示の実施形態によれば、図２に示すような無線通信方法２０において、第２のグループの選択されたＤＣＩは、第１のグループのＤＣＩのサイズより大きいサイズの第２のグループのＤＣＩの間でそのサイズが第１のグループのＤＣＩのサイズに最も近いＤＣＩである。また、図２には示されていないが、ステップＳ２０１で、第１のグループのＤＣＩのサイズと第２のＤＣＩグループの選択されたＤＣＩのサイズの一方を他方と揃える工程は、第１のグループのＤＣＩのビット数を増やすサブステップであって、増やされるビットの数が、第１のグループのＤＣＩのサイズと第２のグループの選択されたＤＣＩのサイズとの差に等しい、サブステップを含み得る。
【００３５】
具体的には、第１の例において、ＵＥは、ＴＭ（Ｔｒａｎｓｍｉｓｓｉｏｎ  Ｍｏｄｅ（送信モード））１０で構成され、１．４ＭＨｚの帯域幅のＵｕチャネルのＤＣＩフォーマット０およびＤＣＩフォーマット２Ｄをデコードし、２０ＭＨｚの帯域幅のサイドリンクチャネルのＳＬ  ＳＰＳ  ＤＣＩをデコードすると予期されるものと仮定する。すなわち、第１のＤＣＩグループは、ただ１つのＳＬ  ＤＣＩ、すなわち、表１に示すＳＬ  ＳＰＳ  ＤＣＩのみを含み、第２のＤＣＩグループは、２つのＵｕ  ＤＣＩ、すなわち、表２に示すＤＣＩフォーマット０と、ＤＣＩフォーマット２Ｄとを含む。表４に、１．４ＭＨｚの帯域幅のＤＣＩフォーマット２Ｄの設計（内容／フィールドおよびサイズ）を示す。
【表４】
2019533943.tif 000006
【００３６】
表１によれば、ＳＬ  ＳＰＳ  ＤＣＩのサイズは、２０ＭＨｚの帯域幅では２４ビットである。表２によれば、ＤＣＩフォーマット０のサイズは、１．４ＭＨｚの帯域幅では２３ビットである。さらに、表４によれば、ＤＣＩフォーマット２Ｄのサイズは、１．４ＭＨｚの帯域幅では３５ビットである。ＤＣＩフォーマット２Ｄは当業者には周知であるので、本開示の発明点を混乱させないように、ここには他の帯域幅でのその詳細な設計の詳細を示さない。この場合、ＳＬ  ＳＰＳ  ＤＣＩのサイズはＤＣＩフォーマット０のサイズよりも大きく、ＤＣＩフォーマット２Ｄのサイズよりも小さい。ＳＬ  ＳＰＳ  ＤＣＩのビット数を１１ビット増やして、ＳＬ  ＳＰＳ  ＤＣＩのサイズをＤＣＩフォーマット２Ｄのサイズと揃えることが可能である。このため、ＳＰＳ  ＳＬ  ＤＣＩを導入することによってＵＥ側でのブラインド検出回数は増加せず、一方、２つのＵｕ  ＤＣＩ（ＤＣＩフォーマット０およびＤＣＩフォーマット２Ｄ）も、サイズ、内容およびカバレッジのあらゆる点で影響を受けない。
【００３７】
第１のグループのＤＣＩのビット数を増やして第１のグループのＤＣＩのサイズを第２のグループの選択されたＤＣＩと揃えることによって、第２のＤＣＩグループに影響を与えずにユーザ機器でのブラインド検出回数を低減させることができる。
【００３８】
本開示の実施形態によれば、図２に示す無線通信方法２０において、図２には示されていないが、上記のサブステップは、第１のグループのＤＣＩにビットをパディングすること、または第１のグループのＤＣＩのＣＲＣ（Ｃｙｃｌｉｃ  Ｒｅｄｕｎｄａｎｃｙ  Ｃｈｅｃｋ（巡回冗長検査））サイズを増やすこと、を含み得る。
【００３９】
具体的には、第１の例では、ＳＬ  ＳＰＳ  ＤＣＩが、ＤＣＩフォーマット２Ｄと揃うように１１個の「０」ビットでパディングされ得る。パディングされるビットは「０」に限定されず、「１」またはその他の適切なビットであってよいことに留意されたい。
【００４０】
あるいは、ＳＬ  ＳＰＳ  ＤＣＩのＣＲＣサイズを、ＤＣＩフォーマット２Ｄと揃うように、１１ビットだけ増やすことも可能である。この場合、ＣＲＣサイズを増やすことによって、ＵＥ側でのブラインド検出回数を低減させると同時に、データ送信の正確さおよび完全性がさらに改善される。
【００４１】
第１のグループのＤＣＩのビット数を第２のグループの選択されたＤＣＩと揃うように増やす上記の方法は例にすぎず、本開示はこれに限定されず、当業者であればその他の適切な方法を用い得ることに留意されたい。
【００４２】
本開示の実施形態によれば、図２に示す無線通信方法２０において、第２のグループの選択されたＤＣＩは、第１のグループのＤＣＩのサイズより小さいサイズの第２のグループのＤＣＩの間でそのサイズが第１のグループのＤＣＩのサイズに最も近いＤＣＩである。また、図２には示されていないが、ステップＳ２０１で、第１のグループのＤＣＩのサイズと第２のＤＣＩグループの選択されたＤＣＩのサイズの一方を他方と揃える工程は、第１のグループのＤＣＩのビット数を減らすサブステップであって、減らされるビットの数は、第１のグループのＤＣＩのサイズと第２のグループの選択されたＤＣＩのサイズとの差に等しい、サブステップを含み得る。
【００４３】
理解の便宜を図るために、上記第１の例をさらに例に取る。上記の説明では、ＳＬ  ＳＰＳ  ＤＣＩのサイズがＤＣＩフォーマット２Ｄのサイズと揃えられるが、本開示はこれに限定されない。ＳＬ  ＳＰＳ  ＤＣＩを１ビット減らすことによって、ＳＬ  ＳＰＳ  ＤＣＩのサイズをＤＣＩフォーマット０のサイズと揃えることも可能である。同様に、ＳＰＳ  ＳＬ  ＤＣＩを導入することによってＵＥ側でのブラインド検出回数は増加せず、一方、２つのＵｕ  ＤＣＩ（ＤＣＩフォーマット０およびＤＣＩフォーマット２Ｄ）も、サイズ、内容およびカバレッジのあらゆる点で影響を受けない。
【００４４】
よって、第１のグループのＤＣＩのビット数を減らして第１のグループのＤＣＩのサイズを第２のグループの選択されたＤＣＩと揃えることによって、第２のＤＣＩグループに影響を与えずにユーザ機器でのブラインド検出回数を低減させることができる。
【００４５】
本開示の実施形態によれば、図２に示す無線通信方法２０において、図２には示されていないが、上記のサブステップは、第１のグループのＤＣＩの少なくとも１つのフィールドのビット数を制限すること、または第１のグループのＤＣＩのリソース割当の粒度を上げること、を含み得る。
【００４６】
具体的には、例えば規格において、ある特殊な場合、例えば、ＳＬが、２０ＭＨｚなどの大きい帯域幅を指し、Ｕｕが１．４ＭＨｚなどの小さい帯域幅を指す場合のＳＬ  ＤＣＩにおけるフィールド使用に関する何らかの制限を指定することが可能である。より具体的には、第１の例では、ＳＬ  ＳＰＳ  ＤＣＩは２０ＭＨｚの帯域幅のサイドリンクチャネルを指し、２つのＵｕ  ＤＣＩは１．４ＭＨｚの帯域幅のＵｕチャネルを指すので、ＳＬ  ＳＰＳ  ＤＣＩ内の「ＳＰＳ構成インデックス」のフィールドが表１に示すデフォルトの３ビットから２ビットに絞られると指定することができる。このため、ＳＬ  ＳＰＳ  ＤＣＩの合計ペイロードサイズを、ＤＣＩフォーマット０の合計ペイロードサイズと等しい２３ビットになるように縮小することができる。
【００４７】
あるいは、ＤＣＩにおけるリソース割当の粒度が大きいほど、ＤＣＩのサイズが小さくなるので、ＳＬ  ＳＰＳ  ＤＣＩを１ビット減らすためにＳＬ  ＳＰＳ  ＤＣＩにおけるリソース割当の粒度が上げられてもよい。より具体的には、構成されるサブチャネルサイズは、例えば第１の例のＳＬ  ＳＰＳ  ＤＣＩの６ＰＲＢより大きくなるはずである。
【００４８】
第１のグループのＤＣＩのビット数を第２のグループの選択されたＤＣＩと揃うように減らす上記の方法は例にすぎず、本開示はこれに限定されず、当業者であればその他の適切な方法を用い得ることに留意されたい。
【００４９】
上記の第１の例は、ただ１つのＳＬ  ＤＣＩしかない単純な事例を示しているにすぎない。以下では、第２の例によってより複雑な事例を示す。第２の例では、ＵＥは、一方が、ＣＰ−ＯＦＤＭ（Ｃｙｃｌｉｃ  Ｐｒｅｆｉｘ−Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ（サイクリックプレフィックス−直交周波数分割多重））ベースの上り送信に使用され、他方が、ＤＦＴ−Ｓ−ＯＦＤＭ（Ｄｉｓｃｒｅｔｅ  Ｆｏｕｒｉｅｒ  Ｔｒａｎｓｆｏｒｍ−Ｓｐｒｅａｄ−ＯＦＤＭ（離散フーリエ変換−拡散ＯＦＤＭ））ベースの上り送信に使用される、２つのＵｕ上りＤＣＩを受信するものと仮定する。また、ＵＥは、一方が動的スケジューリングに使用され、他方がＳＬ  ＳＰＳに使用される２つのＳＬ  ＤＣＩを受信するものとも仮定する。
【００５０】
説明の便宜上、２つのＵｕ  ＤＣＩをＤＣＩ１＿ｕｕおよびＤＣＩ２＿ｕｕで表し、２つのＳＬ  ＤＣＩをＤＣＩ３＿ＳＬおよびＤＣＩ４＿ＳＬで表す。さらに、これら４つのＤＣＩのサイズ関係を、ＤＣＩ１＿ｕｕ＞ＤＣＩ４＿ＳＬ＞ＤＣＩ２＿ｕｕ＞ＤＣＩ３＿ＳＬで表すことができる。この場合、図２に示す無線通信方法３０によれば、１つの選択肢は、例えば、ＤＣＩ４＿ＳＬにビットをパディングすることによってＤＣＩ４＿ＳＬのサイズをＤＣＩ１＿ｕｕのサイズと揃え、例えば、ＤＣＩ３＿ＳＬにビットをパディングすることによってＤＣＩ３＿ＳＬのサイズをＤＣＩ２＿ｕｕのサイズと揃えることである。これにより、上述したように、異なるＳＬ  ＤＣＩが異なるＵｕ  ＤＣＩと揃えられる。
【００５１】
より多くのビットをパディングすると、オーバーヘッドが増加し、誤り率が増加することになることが知られている。ＤＣＩ４＿ＳＬはその最小のより大きいＵｕ  ＤＣＩ（すなわち、ＤＣＩ１＿ｕｕ）と揃えられ、ＤＣＩ３＿ＳＬはその最小のより大きいＵｕ  ＤＣＩ（すなわち、ＤＣＩ２＿ｕｕ）と揃えられるので、各ＳＬ  ＤＣＩにパディングされるビット数を最小限に保つことができる。このため、ＳＬ  ＤＣＩのサイズ増加が最小限に抑えられる。一方、ＵＥ側でのブラインド検出回数もＳＬ  ＤＣＩがない場合と比べて変わらない。
【００５２】
第１の例と同様に、第２の例では、別の選択肢は、ＤＣＩ４＿ＳＬのビット数を減らすことによってＤＣＩ４＿ＳＬをその最大のより小さいＵｕ  ＤＣＩ（すなわちＤＣＩ２＿ｕｕ）と揃え、ＤＣＩ３＿ＳＬのビット数を増やすことによってＤＣＩ３＿ＳＬのサイズをその最小のより大きいＵｕ  ＤＣＩ（すなわちＤＣＩ２＿ｕｕ）のサイズと揃えることであり得る。
【００５３】
上記第１および第２の例では、ＳＬ  ＤＣＩのサイズは、ＳＬ  ＤＣＩのビット数を増減することによって、Ｕｕ  ＤＣＩのサイズと揃えられる。しかしながら、本開示はこれに限定されない。ＮＲ／５Ｇの場合、Ｕｕ  ＤＣＩのサイズをＳＬ  ＤＣＩのサイズと揃えることも可能である。
【００５４】
本開示の実施形態によれば、図２に示す無線通信方法２０において、第２のグループの選択されたＤＣＩは、第１のグループのＤＣＩのサイズより小さいサイズの第２のグループのＤＣＩの間でそのサイズが第１のグループのＤＣＩのサイズに最も近いＤＣＩである。また、図２には示されていないが、ステップＳ２０１で、第１のグループのＤＣＩのサイズと第２のＤＣＩグループの選択されたＤＣＩのサイズの一方を他方と揃える工程は、第２のグループの選択されたＤＣＩにビットを追加するサブステップであって、追加されるビットの数は、第１のグループのＤＣＩのサイズと第２のグループの選択されたＤＣＩのサイズとの差に等しい、サブステップを含み得る。
【００５５】
理解の便宜を図るために、第３の例に基づいて説明する。第３の例では、ＵＥは、一方がＴＭ固有のＤＣＩであり、他方がフォールバックＤＣＩである２つのＵｕ  ＤＣＩを受信するものと仮定する。また、ＵＥは、一方が動的スケジューリングに使用され、他方がＳＬ  ＳＰＳに使用される２つのＳＬ  ＤＣＩを受信するものとも仮定する。
【００５６】
説明の便宜を図るために、第２の例の場合と同様に、２つのＵｕ  ＤＣＩをやはりＤＣＩ１＿ｕｕおよびＤＣＩ２＿ｕｕで表し、２つのＳＬ  ＤＣＩをやはりＤＣＩ３＿ＳＬおよびＤＣＩ４＿ＳＬで表す。第２の例とは異なり、第３の例では、これら４つのＤＣＩのサイズ関係を、ＤＣＩ４＿ＳＬ＞ＤＣＩ３＿ＳＬ＞ＤＣＩ１＿ｕｕ＞ＤＣＩ２＿ｕｕとして表すことができる。この場合、上記サブステップに基づき、第１に、ＤＣＩ４＿ＳＬについて、ＤＣＩ１＿ｕｕは最大のより小さいＵｕ  ＤＣＩであるので、上記第１および第２の例とは異なり、ＤＣＩ１＿ｕｕにビットを追加することによって、ＤＣＩ１＿ｕｕのサイズをＤＣＩ４＿ＳＬのサイズと揃えることが可能である。第２に、ＤＣＩ３＿ＳＬについて、ＤＣＩ１＿ｕｕもやはり最大のより小さいＵｕ  ＤＣＩであるので、サイズアラインメントがやはりＤＣＩ３＿ＳＬとＤＣＩ１＿ｕｕの間で行われる必要があり、これは、ＤＣＩ３＿ＳＬのビット数を増やすことによってＤＣＩ３＿ＳＬのサイズがＤＣＩ４＿ＳＬのサイズと揃えられることと等しい、要約すると、ＤＣＩ１＿ｕｕのサイズとＤＣＩ３＿ＳＬのサイズの両方がＤＣＩ４＿ＳＬのサイズと揃えられる。そのため、フォールバックＤＣＩ（ＤＣＩ２＿ｕｕ）は不変のまま保持され、すなわち、その内容、サイズおよびカバレッジが保持される。一方、ＤＣＩ１＿ｕｕのサイズとＤＣＩ３＿ＳＬのサイズの両方をＤＣＩ４＿ＳＬのサイズと揃えることによって、ＵＥ側でのブラインド検出回数を低減させることができる。
【００５７】
あるいは、第３の例の別の選択肢は、ＤＣＩ３＿ＳＬ、ＤＣＩ１＿ｕｕおよびＤＣＩ２＿ｕｕのすべてのサイズをＤＣＩ４＿ＳＬのサイズと揃えることであり得る。この場合、ＵＥ側でのブラインド検出回数は最小であり得る。
【００５８】
第３の例によれば、どのＵｕ  ＤＣＩのサイズもＳＬ  ＤＣＩのサイズ以下である場合、すべてのＵｕ  ＤＣＩまたは少なくともＴＭ固有のＵｕ  ＤＣＩが最大のＳＬ  ＤＣＩとサイズを揃えられることが分かる。しかしながら、これはＤＣＩのサイズアラインメントの２つの可能な方法にすぎず、本開示はこれに限定されず、当業者はその他の適切な方法によるＤＣＩのサイズアラインメントを用いてよい。例えば、ＤＣＩ１＿ｕｕのサイズとＤＣＩ２＿ｕｕのサイズの両方、またはＤＣＩ１＿ｕｕのサイズのみが、それらにビットを追加することによってＤＣＩ３＿ＳＬと揃えられてもよく、一方、ＤＣＩ４＿ＳＬのサイズは、ＤＣＩ４＿ＳＬのビット数を減らすことによってＤＣＩ３＿ＳＬのサイズと揃えされてよい。
【００５９】
よって、第２のグループの選択されたＤＣＩにビットを追加して、第２のグループの選択されたＤＣＩのサイズを第１のグループのＤＣＩと揃えることによって、ユーザ機器でのブラインド検出回数を低減させることができる。
【００６０】
本開示の実施形態によれば、図２に示す無線通信方法２０において、図２には示されていないが、上記サブステップは、第２のグループの選択されたＤＣＩにビットをパディングすること、または選択されたＤＣＩの少なくとも１つのフィールドのビット数を増やすこと、を含み得る。
【００６１】
例えば、第３の例では、ＤＣＩ１＿ｕｕのサイズをＤＣＩ４＿ｕｕのサイズと揃えるように、ＤＣＩ１＿ｕｕに「０」、「１」、またはその他のビットなどのビットをパディングすることが可能である。また、上述したような別の選択肢では、ＤＣＩ２＿ｕｕのサイズをＤＣＩ４＿ｕｕのサイズと揃えるように、ＤＣＩ２＿ｕｕに「０」、「１」、またはその他のビットなどのビットをパディングすることが可能である。
【００６２】
あるいは、ＳＬ  ＤＣＩについては、例えば規格において、ある特殊な場合、例えば、ＳＬが、２０ＭＨｚなどの大きい帯域幅を指し、Ｕｕが１．４ＭＨｚなどの小さい帯域幅を指す場合のＵｕ  ＤＣＩにおけるフィールド使用に関する何らかの制限を指定することも可能である。より具体的には、この場合、「ＣＳＩ要求」のフィールドにはデフォルトの１ビットではなく２または３ビットしか設定できないと指定することができる。それによって、Ｕｕ  ＤＣＩのビット数が増加し得る。また、ＳＬ  ＤＣＩと同様に、Ｕｕ  ＤＣＩにビットを追加するように、Ｕｕ  ＤＣＩのＣＲＣサイズを増やすことも可能である。
【００６３】
さらに、本開示の理解を容易にするために、第１の例の拡張および一般的な事例としての第４の例について以下でさらに説明する。第４の例では、ＵＥは、ＤＣＩ１＿ｕｕおよびＤＣＩ２＿ｕｕとして表される少なくとも２つのＵｕ  ＤＣＩを受信し、ＤＣＩ３＿ＳＬで指示される少なくとも１つのＳＬ  ＤＣＩを受信するものと仮定され、これら３つのＤＣＩ間には、少なくとも３つの可能なサイズ関係がある。第１のサイズ関係はＤＣＩ１＿ｕｕ＞ＤＣＩ３＿ＳＬ＞ＤＣＩ２＿ｕｕであると想定され、これは例えば第１の例の場合に対応する。この場合、上述したように、１つの選択肢は、ＤＣＩ３＿ＳＬのビット数を増やすことによってＤＣＩ３＿ＳＬのサイズをＤＣＩ１＿ｕｕのサイズと揃えることである。別の選択肢は、ＤＣＩ３＿ＳＬのビット数を減らすことによってＤＣＩ３＿ＳＬのサイズをＤＣＩ２＿ｕｕのサイズと揃えることである。別の選択肢は、ＤＣＩ２＿ｕｕにビットを追加することによってＤＣＩ２＿ｕｕのサイズをＤＣＩ３＿ＳＬのサイズと揃えることである。
【００６４】
第２のサイズ関係は、ＤＣＩ１＿ｕｕ＞ＤＣＩ２＿ｕｕ＞ＤＣＩ３＿ＳＬであると想定される。この場合、ＤＣＩ３＿ＳＬのサイズは、ＤＣＩ３＿ＳＬのビット数を増やすことによってＤＣＩ２＿ｕｕのサイズと揃えられる。
【００６５】
第３のサイズ関係は、ＤＣＩ３＿ＳＬ＞ＤＣＩ１＿ｕｕ＞ＤＣＩ２＿ｕｕであると想定される。この場合、１つの選択肢は、ＤＣＩ１＿ｕｕにビットを追加することによってＤＣＩ１＿ｕｕのサイズをＤＣＩ３＿ＳＬのサイズと揃えることである。別の選択肢は、ＤＣＩ３＿ＳＬのビット数を減らすことによってＤＣＩ３＿ＳＬのサイズをＤＣＩ１＿ｕｕのサイズと揃えることである。１つの選択肢では、ＤＣＩ２＿ｕｕにビットを追加することによってＤＣＩ２＿ｕｕのサイズをＤＣＩ３＿ＳＬのサイズとさらに揃えることも可能であり、これによりＵＥ側での最小回数のブラインド検出が得られる。
【００６６】
上記の例ではＳＬ  ＤＣＩおよびＵｕ  ＤＣＩが説明されているが、本開示はこれに限定されず、第１のＤＣＩグループをＳＬ  ＤＣＩ以外のタイプのＤＣＩとすることもでき、第２のＤＣＩグループをＵｕ  ＤＣＩ以外のタイプのＤＣＩとすることもできることに留意されたい。また、上記には示されていないが、第２のグループの選択されたＤＣＩは、特定の場合に応じてビット数を減らすことによって、第１のグループのＤＣＩのサイズと揃えられてもよい。
【００６７】
以上では、図１〜図２を参照して無線通信方法２０について詳細に説明した。無線通信方法２０では、第１のＤＣＩグループの各ＤＣＩと、そのサイズが第１のグループの各ＤＣＩのサイズに最も近い第２のグループの選択されたＤＣＩとの間のサイズアラインメントを行うことによって、ＤＣＩのサイズ変更を最小限にすると同時に、ユーザ機器でのブラインド検出回数を低減させることができる。
【００６８】
本開示の別の実施形態では、図３に示されるようにユーザ機器のための無線通信方法３０が提供される。図３に、本開示の別の実施形態に係るユーザ機器のための無線通信方法３０のフローチャートを示す。
【００６９】
図３に示されるように、無線通信方法３０は、ステップＳ３０１で開始し、ここで、基地局から第１のＤＣＩグループおよび第２のＤＣＩグループが受信される。次いで、ステップＳ３０２で、第１のＤＣＩグループおよび第２のＤＣＩグループは、基地局とユーザ機器とに予め知られている規則に基づいて送信および／または受信を行うようにブラインド検出される。ステップＳ３０２の後、無線通信方法３０は終了する。前記規則は、ユーザ機器によって受信される前に、第１のＤＣＩグループと第２のＤＣＩグループとが、第１のＤＣＩグループのＤＣＩごとに、第１のグループのＤＣＩのサイズが第２のＤＣＩグループの各ＤＣＩのサイズと異なる場合に、前記規則に基づいて、第１のグループのＤＣＩのサイズと第２のＤＣＩグループの選択されたＤＣＩのサイズの一方を他方と揃える工程、を含むサイズアラインメントを施されていることを指示し、第２のグループの選択されたＤＣＩは、第１のグループのＤＣＩのサイズより大きいサイズの第２のグループのＤＣＩの間でそのサイズが第１のグループのＤＣＩのサイズに最も近いＤＣＩ、または第１のグループのＤＣＩのサイズより小さいサイズの第２のグループのＤＣＩの間でそのサイズが第１のグループのＤＣＩのサイズに最も近いＤＣＩである。例えば、無線通信方法３０は、図１に示すような車両１０２および１３０に適用され得る。
【００７０】
本開示の実施形態によれば、図３に示す無線通信方法３０において、第２のグループの選択されたＤＣＩは、第１のグループのＤＣＩのサイズより大きいサイズの第２のグループのＤＣＩの間でそのサイズが第１のグループのＤＣＩのサイズに最も近いＤＣＩであり、第１のグループのＤＣＩのサイズと第２のＤＣＩグループの選択されたＤＣＩのサイズの一方を他方と揃える前記ことは、第１のグループのＤＣＩのビット数を増やすことであって、増やされるビットの数は、第１のグループのＤＣＩのサイズと第２のグループの選択されたＤＣＩのサイズとの差に等しいこと、を含む。
【００７１】
本開示の実施形態によれば、図３に示す無線通信方法３０において、第１のグループのＤＣＩのビット数を増やす前記ことは、第１のグループのＤＣＩにビットをパディングすること、または第１のグループのＤＣＩのＣＲＣサイズを増やすこと、を含む。
【００７２】
本開示の実施形態によれば、図３に示す無線通信方法３０において、第２のグループの選択されたＤＣＩは、第１のグループのＤＣＩのサイズより小さいサイズの第２のグループのＤＣＩの間でそのサイズが第１のグループのＤＣＩのサイズに最も近いＤＣＩであり、第１のグループのＤＣＩのサイズと第２のＤＣＩグループの選択されたＤＣＩのサイズの一方を他方と揃える前記ことは、第１のグループのＤＣＩのビット数を減らすことであって、減らされるビットの数は、第１のグループのＤＣＩのサイズと第２のグループの選択されたＤＣＩのサイズとの差に等しいこと、を含む。
【００７３】
本開示の実施形態によれば、図３に示す無線通信方法３０において、第１のグループのＤＣＩのビット数を減らす前記ことは、第１のグループのＤＣＩの少なくとも１つのフィールドのビット数を制限すること、または第１のグループのＤＣＩのリソース割当の粒度を上げること、を含む。
【００７４】
本開示の実施形態によれば、図３に示す無線通信方法３０において、第２のグループの選択されたＤＣＩは、第１のグループのＤＣＩのサイズより小さいサイズの第２のグループのＤＣＩの間でそのサイズが第１のグループのＤＣＩのサイズに最も近いＤＣＩであり、第１のグループのＤＣＩのサイズと第２のＤＣＩグループの選択されたＤＣＩのサイズの一方を他方と揃える前記ことは、第２のグループの選択されたＤＣＩにビットを追加することであって、追加されるビットの数は、第１のグループのＤＣＩのサイズと第２のグループの選択されたＤＣＩのサイズとの差に等しいこと、を含む。
【００７５】
本開示の実施形態によれば、図３に示す無線通信方法３０において、第２のグループの選択されたＤＣＩにビットを追加する前記ことは、第２のグループの選択されたＤＣＩにビットをパディングすること、または選択されたＤＣＩの少なくとも１つのフィールドのビット数を増やすこと、を含む。
【００７６】
本開示の実施形態によれば、図３に示す無線通信方法３０において、第１のＤＣＩグループは、ユーザ機器と別のユーザ機器との間のサイドリンク送信をスケジュールするためのＤＣＩであり、第２のＤＣＩグループは、ユーザ機器と基地局との間の送信をスケジュールするためのＤＣＩである。
【００７７】
無線通信方法３０では、第１のＤＣＩグループの各ＤＣＩと、そのサイズが第１のグループの各ＤＣＩのサイズに最も近い第２のグループの選択されたＤＣＩとの間のサイズアラインメントを行うことによって、ＤＣＩのサイズ変更を最小限にすると同時に、ユーザ機器でのブラインド検出回数を低減させることができる。
【００７８】
本開示の別の実施形態では、図４に示すような基地局４００が提供される。図４に、本開示の別の実施形態に係る基地局４００のブロック図を示す。
【００７９】
図４に示されるように、基地局４００は、第１のＤＣＩグループのＤＣＩ（下り制御情報）ごとに、第１のグループのＤＣＩのサイズが第２のＤＣＩグループの各ＤＣＩのサイズと異なる場合に、第１のグループのＤＣＩのサイズと第２のＤＣＩグループの選択されたＤＣＩのサイズの一方を他方と揃えるように動作する回路４０１であって、第２のグループの選択されたＤＣＩが、第１のグループのＤＣＩのサイズより大きいサイズの第２のグループのＤＣＩの間でそのサイズが第１のグループのＤＣＩのサイズに最も近いＤＣＩ、または第１のグループのＤＣＩのサイズより小さいサイズの第２のグループのＤＣＩの間でそのサイズが第１のグループのＤＣＩのサイズに最も近いＤＣＩである、回路４０１と、回路によるサイズアラインメント後の第１のＤＣＩグループおよび第２のＤＣＩグループをユーザ機器に送信するように動作する送信部４０２と、を含む。サイズアラインメントは、基地局とユーザ機器とに予め知られている規則に基づくものである。
【００８０】
本実施形態に係る基地局４００は、基地局４００において様々なデータを処理し、それぞれのユニットの動作を制御する関連したプログラムを実行するためのＣＰＵ（Ｃｅｎｔｒａｌ  Ｐｒｏｃｅｓｓｉｎｇ  Ｕｎｉｔ（中央処理装置））４１０、ＣＰＵ４１０によって様々な処理および制御を行うために必要とされる様々なプログラムを格納するためのＲＯＭ（Ｒｅａｄ  Ｏｎｌｙ  Ｍｅｍｏｒｙ（読取り専用メモリ））４１３、ＣＰＵ４１０によってプロセスおよび制御の手順で一時的に生成される中間データを格納するためのＲＡＭ（Ｒａｎｄｏｍ  Ａｃｃｅｓｓ  Ｍｅｍｏｒｙ（ランダム・アクセス・メモリ））４１５、ならびに／または様々なプログラム、データなどを格納するための記憶部４１７をさらに含み得る。上記の回路４０１、送信部４０２、ＣＰＵ４１０、ＲＯＭ４１３、ＲＡＭ４１５および／または記憶部４１７などは、データおよび／またはコマンドバス４２０を介して相互接続され、互いに信号を転送し合うことができる。
【００８１】
上述した各部は、本開示の範囲を限定するものではない。本開示の一実施形態によれば、上記の回路４０１および送信部４０２の機能はハードウェアによって実装されてもよく、上記のＣＰＵ４１０、ＲＯＭ４１３、ＲＡＭ４１５および／または記憶部４１７は必要でない場合もある。あるいは、上記回路４０１または送信部４０２の機能の一部または全部が、上記ＣＰＵ４１０、ＲＯＭ４１３、ＲＡＭ４１５および／または記憶部４１７などと組み合わせた機能ソフトウェアによって実現されてもよい。
【００８２】
具体的には、基地局４００は、図１に示すｅＮｏｄｅＢ１０１であってよく、図２に関連して上述した無線通信方法２０を行い得る。
【００８３】
基地局４００では、第１のＤＣＩグループの各ＤＣＩと、そのサイズが第１のグループの各ＤＣＩのサイズに最も近い第２のグループの選択されたＤＣＩとの間のサイズアラインメントを行うことによって、ＤＣＩのサイズ変更を最小限にすると同時に、ユーザ機器でのブラインド検出回数を低減させることができる。
【００８４】
なお、上記無線通信方法２０におけるその他の技術的特徴も基地局４００に組み込むことができ、ここでは冗長にならないように説明を省略する。
【００８５】
本開示の別の実施形態では、図５に示すようなユーザ機器５００が提供される。図５に、本開示の別の実施形態に係るユーザ機器５００のブロック図を示す。
【００８６】
図５に示されるように、ユーザ機器５００は、基地局から第１のＤＣＩグループおよび第２のＤＣＩグループを受信するように動作する受信部５０１と、基地局とユーザ機器とに予め知られている規則に基づいて送信および／または受信を行うように、第１のＤＣＩグループおよび第２のＤＣＩグループをブラインド検出するように動作する回路５０２と、を含む。また、前記規則は、ユーザ機器によって受信される前に、第１のＤＣＩグループと第２のＤＣＩグループとが、第１のＤＣＩグループのＤＣＩごとに、第１のグループのＤＣＩのサイズが第２のＤＣＩグループの各ＤＣＩのサイズと異なる場合に、前記規則に基づいて、第１のグループのＤＣＩのサイズと第２のＤＣＩグループの選択されたＤＣＩのサイズの一方を他方と揃える工程、を含むサイズアラインメントを施されていることを指示し、第２のグループの選択されたＤＣＩは、第１のグループのＤＣＩのサイズより大きいサイズの第２のグループのＤＣＩの間でそのサイズが第１のグループのＤＣＩのサイズに最も近いＤＣＩ、または第１のグループのＤＣＩのサイズより小さいサイズの第２のグループのＤＣＩの間でそのサイズが第１のグループのＤＣＩのサイズに最も近いＤＣＩである。
【００８７】
本実施形態に係るユーザ機器５００は、ユーザ機器５００において様々なデータを処理し、それぞれのユニットの動作を制御する関連したプログラムを実行するためのＣＰＵ（Ｃｅｎｔｒａｌ  Ｐｒｏｃｅｓｓｉｎｇ  Ｕｎｉｔ（中央処理装置））５１０、ＣＰＵ５１０によって様々な処理および制御を行うために必要とされる様々なプログラムを格納するためのＲＯＭ（Ｒｅａｄ  Ｏｎｌｙ  Ｍｅｍｏｒｙ（読取り専用メモリ））５１３、ＣＰＵ５１０によってプロセスおよび制御の手順で一時的に生成される中間データを格納するためのＲＡＭ（Ｒａｎｄｏｍ  Ａｃｃｅｓｓ  Ｍｅｍｏｒｙ（ランダム・アクセス・メモリ））５１５、ならびに／または様々なプログラム、データなどを格納するための記憶部５１７をさらに含み得る。上記の受信部５０１、回路５０２、ＣＰＵ５１０、ＲＯＭ５１３、ＲＡＭ５１５および／または記憶部５１７などは、データおよび／またはコマンドバス５２０を介して相互接続され、互いに信号を転送し合うことができる。
【００８８】
上述した各部は、本開示の範囲を限定するものではない。本開示の一実施形態によれば、上記の受信部５０１および回路５０２の機能はハードウェアによって実装されてもよく、上記のＣＰＵ５１０、ＲＯＭ５１３、ＲＡＭ５１５および／または記憶部５１７は必要でない場合もある。あるいは、上記受信部５０１および／または回路５０２の機能の一部または全部が、上記ＣＰＵ５１０、ＲＯＭ５１３、ＲＡＭ５１５および／または記憶部５１７などと組み合わせた機能ソフトウェアによって実現されてもよい。
【００８９】
具体的には、ユーザ機器５００は、図１に示す車両１０２および１０３であってよく、図３に関連して上述した無線通信方法３０を行い得る。
【００９０】
ユーザ機器５００では、第１のＤＣＩグループの各ＤＣＩと、そのサイズが第１のグループの各ＤＣＩのサイズに最も近い第２のグループの選択されたＤＣＩとの間のサイズアラインメントを行うことによって、ＤＣＩのサイズ変更を最小限にすると同時に、ユーザ機器でのブラインド検出回数を低減させることができる。
【００９１】
なお、上記無線通信方法３０におけるその他の技術的特徴もユーザ機器５００に組み込むことができ、ここでは冗長にならないように説明を省略する。
【００９２】
本開示は、ソフトウェア、ハードウェア、またはハードウェアと協働するソフトウェアによって実現することができる。上述した各実施形態の説明で使用した各機能ブロックを集積回路としてのＬＳＩによって実現することができ、各実施形態で説明した各処理はＬＳＩによって制御され得る。機能ブロックはチップとして個別に形成されてもよいし、機能ブロックの一部または全部を含むように１つのチップが形成されてもよい。それらは、そこに結合されたデータ入出力を含み得る。この場合のＬＳＩは、集積度の違いに応じて、ＩＣ、システムＬＳＩ、スーパーＬＳＩ、またはウルトラＬＳＩと呼ばれ場合がある。ただし、集積回路を実現する技術はＬＳＩに限定されず、専用回路や汎用プロセッサを使用して実現されてもよい。さらに、ＬＳＩの製造後にプログラムすることができるＦＰＧＡ（Ｆｉｅｌｄ  Ｐｒｏｇｒａｍｍａｂｌｅ  Ｇａｔｅ  Ａｒｒａｙ（フィールド・プログラマブル・ゲート・アレイ））や、ＬＳＩ内部に配置された回路セルの接続および設定を再構成することができるリコンフィギュラブルプロセッサが使用されてもよい。
【００９３】
本開示は、本開示の内容および範囲から逸脱することなく、本明細書に提示した説明および既知の技術に基づいて当業者によって様々に変更または改変されることが意図されており、そうした変更および応用は、保護されるべき特許請求の範囲内に含まれることに留意されたい。さらに、本開示の内容から逸脱しない範囲において、上述した実施形態の構成要素が任意に組み合わされてもよい。
【００９４】
本開示の実施形態は、少なくとも以下の主題を提供することができる。
【００９５】
（１）第１のＤＣＩグループのＤＣＩ（下り制御情報）ごとに、第１のグループのＤＣＩのサイズが第２のＤＣＩグループの各ＤＣＩのサイズと異なる場合に、第１のグループのＤＣＩのサイズと第２のＤＣＩグループの選択されたＤＣＩのサイズの一方を他方と揃えるように動作する回路であって、第２のグループの選択されたＤＣＩが、第１のグループのＤＣＩのサイズより大きいサイズの第２のグループのＤＣＩの間でそのサイズが第１のグループのＤＣＩのサイズに最も近いＤＣＩ、または第１のグループのＤＣＩのサイズより小さいサイズの第２のグループのＤＣＩの間でそのサイズが第１のグループのＤＣＩのサイズに最も近いＤＣＩである、回路と、
回路によるサイズアラインメント後の第１のＤＣＩグループおよび第２のＤＣＩグループをユーザ機器に送信するように動作する送信部と、
を含み、サイズアラインメントが、基地局とユーザ機器とに予め知られている規則に基づくものである、基地局。
【００９６】
（２）第２のグループの選択されたＤＣＩが、第１のグループのＤＣＩのサイズより大きいサイズの第２のグループのＤＣＩの間でそのサイズが第１のグループのＤＣＩのサイズに最も近いＤＣＩであり、
回路が、第１のグループのＤＣＩのビット数をさらに増やし、増やされるビットの数が、第１のグループのＤＣＩのサイズと第２のグループの選択されたＤＣＩのサイズとの差に等しい、（１）に記載の基地局。
【００９７】
（３）回路が、ビットをパディングすること、またはＣＲＣ（巡回冗長検査）サイズを増やすことによって第１のグループのＤＣＩのビット数を増やす、（２）に記載の基地局。
【００９８】
（４）第２のグループの選択されたＤＣＩが、第１のグループのＤＣＩのサイズより小さいサイズの第２のグループのＤＣＩの間でそのサイズが第１のグループのＤＣＩのサイズに最も近いＤＣＩであり、
回路が、第１のグループのＤＣＩのビット数をさらに減らし、減らされるビットの数が、第１のグループのＤＣＩのサイズと第２のグループの選択されたＤＣＩのサイズとの差に等しい、（１）に記載の基地局。
【００９９】
（５）回路が、第１のグループのＤＣＩの少なくとも１つのフィールドのビット数を制限することによって、または第１のグループのＤＣＩのリソース割当の粒度を上げることによって第１のグループのＤＣＩのビット数を減らす、（４）に記載の基地局。
【０１００】
（６）第２のグループの選択されたＤＣＩが、第１のグループのＤＣＩのサイズより小さいサイズの第２のグループのＤＣＩの間でそのサイズが第１のグループのＤＣＩのサイズに最も近いＤＣＩであり、
回路が、第２のグループの選択されたＤＣＩにビットをさらに追加し、追加されるビットの数が、第１のグループのＤＣＩのサイズと第２のグループの選択されたＤＣＩのサイズとの差に等しい、（１）に記載の基地局。
【０１０１】
（７）回路が、ビットをパディングすることによって、または選択されたＤＣＩの少なくとも１つのフィールドのビット数を増やすことによって第２のグループの選択されたＤＣＩにビットを追加する、（６）に記載の基地局。
【０１０２】
（８）第１のＤＣＩグループが、ユーザ機器と別のユーザ機器との間のサイドリンク送信をスケジュールするためのＤＣＩであり、第２のＤＣＩグループが、ユーザ機器と基地局との間の送信をスケジュールするためのＤＣＩである、（１）に記載の基地局。
【０１０３】
（９）基地局から第１のＤＣＩグループおよび第２のＤＣＩグループを受信するように動作する受信部と、
基地局とユーザ機器とに予め知られている規則に基づいて送信および／または受信を行うように、第１のＤＣＩグループおよび第２のＤＣＩグループをブラインド検出するように動作する回路と、
を含み、前記規則が、ユーザ機器によって受信される前に、第１のＤＣＩグループと第２のＤＣＩグループとが、第１のＤＣＩグループのＤＣＩごとに、第１のグループのＤＣＩのサイズが第２のＤＣＩグループの各ＤＣＩのサイズと異なる場合に、前記規則に基づいて、第１のグループのＤＣＩのサイズと第２のＤＣＩグループの選択されたＤＣＩのサイズの一方を他方と揃える工程、を含むサイズアラインメントを施されていることを指示し、第２のグループの選択されたＤＣＩが、第１のグループのＤＣＩのサイズより大きいサイズの第２のグループのＤＣＩの間でそのサイズが第１のグループのＤＣＩのサイズに最も近いＤＣＩ、または第１のグループのＤＣＩのサイズより小さいサイズの第２のグループのＤＣＩの間でそのサイズが第１のグループのＤＣＩのサイズに最も近いＤＣＩである、ユーザ機器。
【０１０４】
（１０）第２のグループの選択されたＤＣＩが、第１のグループのＤＣＩのサイズより大きいサイズの第２のグループのＤＣＩの間でそのサイズが第１のグループのＤＣＩのサイズに最も近いＤＣＩであり、
第１のグループのＤＣＩのサイズと第２のＤＣＩグループの選択されたＤＣＩのサイズの一方を他方と揃える前記工程が、
第１のグループのＤＣＩのビット数を増やす工程であって、増やされるビットの数が、第１のグループのＤＣＩのサイズと第２のグループの選択されたＤＣＩのサイズとの差に等しい工程、
を含む、（９）に記載のユーザ機器。
【０１０５】
（１１）第１のグループのＤＣＩのビット数を増やす前記工程が、
第１のグループのＤＣＩにビットをパディングする工程、または第１のグループのＤＣＩのＣＲＣサイズを増やす工程、
を含む、（１０）に記載のユーザ機器。
【０１０６】
（１２）第２のグループの選択されたＤＣＩが、第１のグループのＤＣＩのサイズより小さいサイズの第２のグループのＤＣＩの間でそのサイズが第１のグループのＤＣＩのサイズに最も近いＤＣＩであり、
第１のグループのＤＣＩのサイズと第２のＤＣＩグループの選択されたＤＣＩのサイズの一方を他方と揃える前記工程が、
第１のグループのＤＣＩのビット数を減らす工程であって、減らされるビットの数が、第１のグループのＤＣＩのサイズと第２のグループの選択されたＤＣＩのサイズとの差に等しい工程、
を含む、（９）に記載のユーザ機器。
【０１０７】
（１３）第１のグループのＤＣＩのビット数を減らす前記工程が、
第１のグループのＤＣＩの少なくとも１つのフィールドのビット数を制限する工程、または第１のグループのＤＣＩのリソース割当の粒度を上げる工程、
を含む、（１２）に記載のユーザ機器。
【０１０８】
（１４）第２のグループの選択されたＤＣＩが、第１のグループのＤＣＩのサイズより小さいサイズの第２のグループのＤＣＩの間でそのサイズが第１のグループのＤＣＩのサイズに最も近いＤＣＩであり、
第１のグループのＤＣＩのサイズと第２のＤＣＩグループの選択されたＤＣＩのサイズの一方を他方と揃える前記工程が、
第２のグループの選択されたＤＣＩにビットを追加する工程であって、追加されるビットの数が、第１のグループのＤＣＩのサイズと第２のグループの選択されたＤＣＩのサイズとの差に等しい工程、
を含む、（９）に記載のユーザ機器。
【０１０９】
（１５）第２のグループの選択されたＤＣＩにビットを追加する前記工程が、
第２のグループの選択されたＤＣＩにビットをパディングする工程、または選択されたＤＣＩの少なくとも１つのフィールドのビット数を増やす工程、
を含む、（１４）に記載のユーザ機器。
【０１１０】
（１６）第１のＤＣＩグループが、ユーザ機器と別のユーザ機器との間のサイドリンク送信をスケジュールするためのＤＣＩであり、第２のＤＣＩグループが、ユーザ機器と基地局との間の送信をスケジュールするためのＤＣＩである、（９）に記載のユーザ機器。
【０１１１】
（１７）第１のＤＣＩグループのＤＣＩ（下り制御情報）ごとに、第１のグループのＤＣＩのサイズが第２のＤＣＩグループの各ＤＣＩのサイズと異なる場合に、第１のグループのＤＣＩのサイズと第２のＤＣＩグループの選択されたＤＣＩのサイズの一方を他方と揃える工程であって、第２のグループの選択されたＤＣＩが、第１のグループのＤＣＩのサイズより大きいサイズの第２のグループのＤＣＩの間でそのサイズが第１のグループのＤＣＩのサイズに最も近いＤＣＩ、または第１のグループのＤＣＩのサイズより小さいサイズの第２のグループのＤＣＩの間でそのサイズが第１のグループのＤＣＩのサイズに最も近いＤＣＩである、工程と、
サイズアラインメント後の第１のＤＣＩグループおよび第２のＤＣＩグループをユーザ機器に送信する工程と、
を含み、サイズアラインメントが、基地局とユーザ機器とに予め知られている規則に基づくものである、基地局のための無線通信方法。
【０１１２】
（１８）第２のグループの選択されたＤＣＩが、第１のグループのＤＣＩのサイズより大きいサイズの第２のグループのＤＣＩの間でそのサイズが第１のグループのＤＣＩのサイズに最も近いＤＣＩであり、
第１のグループのＤＣＩのサイズと第２のＤＣＩグループの選択されたＤＣＩのサイズの一方を他方と揃える前記工程が、
第１のグループのＤＣＩのビット数を増やす工程であって、増やされるビットの数が、第１のグループのＤＣＩのサイズと第２のグループの選択されたＤＣＩのサイズとの差に等しい、工程、
を含む、（１７）に記載の無線通信方法。
【０１１３】
（１９）第１のグループのＤＣＩのビット数を増やす前記工程が、
第１のグループのＤＣＩにビットをパディングする工程、または第１のグループのＤＣＩのＣＲＣサイズを増やす工程、
を含む、（１８）に記載の無線通信方法。
【０１１４】
（２０）第２のグループの選択されたＤＣＩが、第１のグループのＤＣＩのサイズより小さいサイズの第２のグループのＤＣＩの間でそのサイズが第１のグループのＤＣＩのサイズに最も近いＤＣＩであり、
第１のグループのＤＣＩのサイズと第２のＤＣＩグループの選択されたＤＣＩのサイズの一方を他方と揃える前記工程が、
第１のグループのＤＣＩのビット数を減らす工程であって、減らされるビットの数が、第１のグループのＤＣＩのサイズと第２のグループの選択されたＤＣＩのサイズとの差に等しい、工程、
を含む、（１７）に記載の無線通信方法。
【０１１５】
（２１）第１のグループのＤＣＩのビット数を減らす前記工程が、
第１のグループのＤＣＩの少なくとも１つのフィールドのビット数を制限する工程、または第１のグループのＤＣＩのリソース割当の粒度を上げる工程、
を含む、（２０）に記載の無線通信方法。
【０１１６】
（２２）第２のグループの選択されたＤＣＩが、第１のグループのＤＣＩのサイズより小さいサイズの第２のグループのＤＣＩの間でそのサイズが第１のグループのＤＣＩのサイズに最も近いＤＣＩであり、
第１のグループのＤＣＩのサイズと第２のＤＣＩグループの選択されたＤＣＩのサイズの一方を他方と揃える前記工程が、
第２のグループの選択されたＤＣＩにビットを追加する工程であって、追加されるビットの数が、第１のグループのＤＣＩのサイズと第２のグループの選択されたＤＣＩのサイズとの差に等しい、工程、
を含む、（１７）に記載の無線通信方法。
【０１１７】
（２３）第２のグループの選択されたＤＣＩにビットを追加する前記工程が、
第２のグループの選択されたＤＣＩにビットをパディングする工程、または選択されたＤＣＩの少なくとも１つのフィールドのビット数を増やす工程、
を含む、（２２）に記載の無線通信方法。
【０１１８】
（２４）第１のＤＣＩグループが、ユーザ機器と別のユーザ機器との間のサイドリンク送信をスケジュールするためのＤＣＩであり、第２のＤＣＩグループが、ユーザ機器と基地局との間の送信をスケジュールするためのＤＣＩである、（１７）に記載の無線通信方法。
【０１１９】
（２５）基地局から第１のＤＣＩグループおよび第２のＤＣＩグループを受信する工程と、
基地局とユーザ機器とに予め知られている規則に基づいて送信および／または受信を行うように第１のＤＣＩグループおよび第２のＤＣＩグループをブラインド検出する工程と、
を含み、前記規則が、ユーザ機器によって受信される前に、第１のＤＣＩグループと第２のＤＣＩグループとが、第１のＤＣＩグループのＤＣＩごとに、第１のグループのＤＣＩのサイズが第２のＤＣＩグループの各ＤＣＩのサイズと異なる場合に、前記規則に基づいて、第１のグループのＤＣＩのサイズと第２のＤＣＩグループの選択されたＤＣＩのサイズの一方を他方と揃える工程、を含むサイズアラインメントを施されていることを指示し、第２のグループの選択されたＤＣＩが、第１のグループのＤＣＩのサイズより大きいサイズの第２のグループのＤＣＩの間でそのサイズが第１のグループのＤＣＩのサイズに最も近いＤＣＩ、または第１のグループのＤＣＩのサイズより小さいサイズの第２のグループのＤＣＩの間でそのサイズが第１のグループのＤＣＩのサイズに最も近いＤＣＩである、ユーザ機器のための無線通信方法。
【０１２０】
（２６）第２のグループの選択されたＤＣＩが、第１のグループのＤＣＩのサイズより大きいサイズの第２のグループのＤＣＩの間でそのサイズが第１のグループのＤＣＩのサイズに最も近いＤＣＩであり、
第１のグループのＤＣＩのサイズと第２のＤＣＩグループの選択されたＤＣＩのサイズの一方を他方と揃える前記工程が、
第１のグループのＤＣＩのビット数を増やす工程であって、増やされるビットの数が、第１のグループのＤＣＩのサイズと第２のグループの選択されたＤＣＩのサイズとの差に等しい、工程、
を含む、（２５）に記載の無線通信方法。
【０１２１】
（２７）第１のグループのＤＣＩのビット数を増やす前記工程が、
第１のグループのＤＣＩにビットをパディングする工程、または第１のグループのＤＣＩのＣＲＣサイズを増やす工程、
を含む、（２６）に記載の無線通信方法。
【０１２２】
（２８）第２のグループの選択されたＤＣＩが、第１のグループのＤＣＩのサイズより小さいサイズの第２のグループのＤＣＩの間でそのサイズが第１のグループのＤＣＩのサイズに最も近いＤＣＩであり、
第１のグループのＤＣＩのサイズと第２のＤＣＩグループの選択されたＤＣＩのサイズの一方を他方と揃える前記工程が、
第１のグループのＤＣＩのビット数を減らす工程であって、減らされるビットの数が、第１のグループのＤＣＩのサイズと第２のグループの選択されたＤＣＩのサイズとの差に等しい、工程、
を含む、（２５）に記載の無線通信方法。
【０１２３】
（２９）第１のグループのＤＣＩのビット数を減らす前記工程が、
第１のグループのＤＣＩの少なくとも１つのフィールドのビット数を制限する工程、または第１のグループのＤＣＩのリソース割当の粒度を上げる工程、
を含む、（２８）に記載の無線通信方法。
【０１２４】
（３０）第２のグループの選択されたＤＣＩが、第１のグループのＤＣＩのサイズより小さいサイズの第２のグループのＤＣＩの間でそのサイズが第１のグループのＤＣＩのサイズに最も近いＤＣＩであり、
第１のグループのＤＣＩのサイズと第２のＤＣＩグループの選択されたＤＣＩのサイズの一方を他方と揃える前記工程が、
第２のグループの選択されたＤＣＩにビットを追加する工程であって、追加されるビットの数が、第１のグループのＤＣＩのサイズと第２のグループの選択されたＤＣＩのサイズとの差に等しい、工程、
を含む、（２５）に記載の無線通信方法。
【０１２５】
（３１）第２のグループの選択されたＤＣＩにビットを追加する前記工程が、
第２のグループの選択されたＤＣＩにビットをパディングする工程、または選択されたＤＣＩの少なくとも１つのフィールドのビット数を増やす工程、
を含む、（３０）に記載の無線通信方法。
【０１２６】
（３２）第１のＤＣＩグループが、ユーザ機器と別のユーザ機器との間のサイドリンク送信をスケジュールするためのＤＣＩであり、第２のＤＣＩグループが、ユーザ機器と基地局との間の送信をスケジュールするためのＤＣＩである、（２５）に記載の無線通信方法。
【図１】
2019533943.tif 000007
【図２】
2019533943.tif 000008
【図３】
2019533943.tif 000009
【図４】
2019533943.tif 000010
【図５】
2019533943.tif 000011
【手続補正書】
【提出日】令和1年5月9日(2019.5.9)
【手続補正１】
【補正対象書類名】特許請求の範囲
【補正対象項目名】全文
【補正方法】変更
【補正の内容】
【特許請求の範囲】
【請求項１】
サーチスペースにおいて信号を受信する受信部と、
基準サイズを用いて前記信号に含まれる第１のＤＣＩフォーマットを用いる下り制御情報を検出し、前記第１のＤＣＩフォーマットはサイドリンク送信に使用される、制御回路と、
を具備し、
第１のサーチスペースにおける前記基準サイズは、前記サイドリンク送信とは異なるサイドリンク送信に用いられる第２のＤＣＩフォーマットのサイズに基づき、
第２のサーチスペースにおける前記基準サイズは、端末―基地局間の通信に用いられる第３のＤＣＩフォーマットのサイズに基づく、
通信装置。
【請求項２】
前記第１のＤＣＩフォーマットおよび前記第２のＤＣＩフォーマットの一方は動的スケジューリングに用いられ、他方は準固定のスケジューリングに用いられる、
請求項１に記載の通信装置。
【請求項３】
前記第２のＤＣＩフォーマットのサイズは、前記第１のサーチスペースにおいて前記第１のＤＣＩフォーマットのサイズに最も近いサイズであり、
前記最も近いサイズは、前記第１のＤＣＩフォーマットのサイズ以上のサイズである、
請求項１に記載の通信装置。
【請求項４】
前記第３のＤＣＩフォーマットのサイズは、前記第２のサーチスペースにおいて前記第１のＤＣＩフォーマットのサイズに最も近いサイズであり、
前記最も近いサイズは、前記第１のＤＣＩフォーマットのサイズ以上のサイズである、
請求項１に記載の通信装置。
【請求項５】
前記第１のＤＣＩフォーマットのサイズが基準サイズと同じになるまで、パディングビットのゼロが前記第１のＤＣＩフォーマットに加えられる、
請求項１に記載の通信装置。
【請求項６】
サーチスペースにおいて信号を受信し、
基準サイズを用いて前記信号に含まれる第１のＤＣＩフォーマットを用いる下り制御情報を検出し、前記第１のＤＣＩフォーマットはサイドリンク送信に使用され、
第１のサーチスペースにおける前記基準サイズは、前記サイドリンク送信とは異なるサイドリンク送信に用いられる第２のＤＣＩフォーマットのサイズに基づき、
第２のサーチスペースにおける前記基準サイズは、端末―基地局間の通信に用いられる第３のＤＣＩフォーマットのサイズに基づく、
通信方法。
【請求項７】
前記第１のＤＣＩフォーマットおよび前記第２のＤＣＩフォーマットの一方は動的スケジューリングに用いられ、他方は準固定のスケジューリングに用いられる、
請求項６に記載の通信方法。
【請求項８】
前記第２のＤＣＩフォーマットのサイズは、前記第１のサーチスペースにおいて前記第１のＤＣＩフォーマットのサイズに最も近いサイズであり、
前記最も近いサイズは、前記第１のＤＣＩフォーマットのサイズ以上のサイズである、
請求項６に記載の通信装置。
【請求項９】
前記第３のＤＣＩフォーマットのサイズは、前記第２のサーチスペースにおいて前記第１のＤＣＩフォーマットのサイズに最も近いサイズであり、
前記最も近いサイズは、前記第１のＤＣＩフォーマットのサイズ以上のサイズである、
請求項６に記載の通信方法。
【請求項１０】
前記第１のＤＣＩフォーマットのサイズが基準サイズと同じになるまで、パディングビットのゼロが第１のＤＣＩフォーマットに加えられる、
請求項６に記載の通信方法。
【請求項１１】
サーチスペースにおいて信号を受信する処理と、
基準サイズを用いて前記信号に含まれる第１のＤＣＩフォーマットを用いる下り制御情報を検出し、前記第１のＤＣＩフォーマットはサイドリンク送信に使用される、処理と、
を制御し、
第１のサーチスペースにおける前記基準サイズは、前記サイドリンク送信とは異なるサイドリンク送信に用いられる第２のＤＣＩフォーマットのサイズに基づき、
第２のサーチスペースにおける前記基準サイズは、端末―基地局間の通信に用いられる第３のＤＣＩフォーマットのサイズに基づく、
集積回路。
【手続補正３】
【補正対象書類名】明細書
【補正対象項目名】０００１
【補正方法】変更
【補正の内容】
【０００１】
本開示は、無線通信の分野に関し、特に、ブラインド検出のためのＤＣＩ（Ｄｏｗｎｌｉｎｋ  Ｃｏｎｔｒｏｌ  Ｉｎｆｏｒｍａｔｉｏｎ（下り制御情報））設計に関連した通信装置、通信方法および集積回路に関する。
【手続補正４】
【補正対象書類名】明細書
【補正対象項目名】０００５
【補正方法】変更
【補正の内容】
【０００５】
本開示の第１の一般的態様では、通信装置が提供され、本通信装置は、サーチスペースにおいて信号を受信する受信部と、基準サイズを用いて前記信号に含まれる第１のＤＣＩフォーマットを用いる下り制御情報を検出し、前記第１のＤＣＩフォーマットはサイドリンク送信に使用される、制御回路と、を具備し、第１のサーチスペースにおける前記基準サイズは、前記サイドリンク送信とは異なるサイドリンク送信に用いられる第２のＤＣＩフォーマットのサイズに基づき、第２のサーチスペースにおける前記基準サイズは、端末―基地局間の通信に用いられる第３のＤＣＩフォーマットのサイズに基づく。
【手続補正５】
【補正対象書類名】明細書
【補正対象項目名】０００６
【補正方法】変更
【補正の内容】
【０００６】
本開示の第２の一般的態様では、通信方法が提供され、本通信方法は、サーチスペースにおいて信号を受信し、基準サイズを用いて前記信号に含まれる第１のＤＣＩフォーマットを用いる下り制御情報を検出し、前記第１のＤＣＩフォーマットはサイドリンク送信に使用され、第１のサーチスペースにおける前記基準サイズは、前記サイドリンク送信とは異なるサイドリンク送信に用いられる第２のＤＣＩフォーマットのサイズに基づき、第２のサーチスペースにおける前記基準サイズは、端末―基地局間の通信に用いられる第３のＤＣＩフォーマットのサイズに基づく。
【手続補正６】
【補正対象書類名】明細書
【補正対象項目名】０００７
【補正方法】変更
【補正の内容】
【０００７】
本開示の第３の一般的態様では、集積回路が提供され、本集積回路は、サーチスペースにおいて信号を受信する処理と、基準サイズを用いて前記信号に含まれる第１のＤＣＩフォーマットを用いる下り制御情報を検出し、前記第１のＤＣＩフォーマットはサイドリンク送信に使用される、処理と、を制御し、第１のサーチスペースにおける前記基準サイズは、前記サイドリンク送信とは異なるサイドリンク送信に用いられる第２のＤＣＩフォーマットのサイズに基づき、第２のサーチスペースにおける前記基準サイズは、端末―基地局間の通信に用いられる第３のＤＣＩフォーマットのサイズに基づく。
【国際調査報告】
2019533943.tif 000012
2019533943.tif 000013